(57)【要約】【課題】  複数台の室外機において、冷暖房運転や停止状態の室外機が混在する場合でも、一部の室外機の圧縮機へ冷媒が過剰に溜まり込むのを防止する。【解決手段】  複数台の室内機４０ａ〜４０ｄは、室内熱交換器４１ａ〜４１ｄと室内膨張弁４２ａ〜４２ｄとを各々備え、複数台の室外機１０ａ，１０ｂは、圧縮機１１ａ，１１ｂと逆止弁１２ａ，１２ｂと四方弁１３ａ，１３ｂと室外熱交換器１４ａ，１４ｂと室外膨張弁１５ａ，１５ｂとを各々備える。複数台の室内機と複数台の室外機とを液接続配管３５及びガス接続配管３６で接続し、四方弁と圧縮機吸入側との間に開閉機構１６ａ，１６ｂを備え、複数台の室外機のうち少なくとも１台が暖房運転中に、残りの室外機のうち停止している室外機の開閉機構を閉止し、除霜運転している室外機の開閉機構を閉止又は開度調整する。【選択図】図１
2010048506.tif 000002
【特許請求の範囲】
【請求項１】
室内熱交換器と室内膨張弁とを有する複数台の室内機、圧縮機と逆止弁と四方弁と室外熱交換器と室外膨張弁とを有する複数台の室外機、前記複数台の室内機と前記複数台の室外機とを接続する液接続配管及びガス接続配管を備えたマルチ型空気調和機において、
前記四方弁と前記圧縮機吸入側との間に開閉機構を備え、前記複数台の室外機のうち少なくとも１台が暖房運転中に、前記複数台の室外機のうち停止している室外機の前記開閉機構を閉止すること、又は、前記複数台の室外機のうち少なくとも１台が暖房運転中に、前記複数台の室外機のうち除霜運転している室外機の前記開閉機構を閉止又は開度調整することを特徴とするマルチ型空気調和機。
【請求項２】
室内熱交換器と室内膨張弁とを有する複数台の室内機、圧縮機と逆止弁と四方弁と室外熱交換器と室外膨張弁とを有する複数台の室外機、前記複数台の室内機と前記複数台の室外機とを接続する液接続配管と低圧ガス接続配管と高圧ガス接続配管、及び前記複数台の室外機と前記複数台の室内機との間に配置され、前記低圧ガス接続配管又は前記高圧ガス接続配管の何れかに繋ぐように前記複数台の室内機との接続を切り替える冷暖切替ユニットを備えたマルチ型空気調和機において、
前記四方弁と前記圧縮機吸入側との間に開閉機構を備え、該開閉機構と前記圧縮機吸入側との間に前記低圧ガス接続配管を接続し、前記複数台の室外機のうち少なくとも１台が暖房運転中に、前記複数台の室外機のうち冷房運転している室外機と停止している室外機の前記開閉機構を閉止すること、又は、前記複数台の室外機のうち少なくとも１台が暖房運転中に、前記複数台の室外機のうち除霜運転している室外機の前記開閉機構を閉止又は開度調整することを特徴とするマルチ型空気調和機。
【発明の詳細な説明】
【技術分野】
【０００１】
本発明は、室外機が複数台接続されたマルチ型空気調和機に関し、特に、冷暖房運転や停止状態の室外機が混在する場合でも、一部の室外機の圧縮機へ冷媒が過剰に溜まり込むのを防止するマルチ型空気調和機に関する。
【背景技術】
【０００２】
室外機が複数台接続されたマルチ型空気調和機において、暖房運転時の全室外機の四方弁の向きは、圧縮機吐出側をガス接続配管に繋ぎ圧縮機吸入側を室外熱交換器に繋ぐようにしなければならない。一台でも圧縮機吸入側をガス接続配管に繋ぐ向きとなっていると、圧縮機に高圧ガスが流入し冷媒が溜まり込むこととなる。これは停止している室外機の圧縮機についても同様である。
【０００３】
通常の四方弁は、パイロット弁とスライドバルブ付きの本体からなる。パイロット弁がどちらに冷媒流路を切り替えるか制御された状態で高圧側配管と低圧側配管に差圧が生じると、スライドバルブがスライドすることで四方弁を通過する冷媒の流路が切り替わる。冷房運転の四方弁の向きのまま、つまり圧縮機吐出側を室外熱交換器に繋ぎ、圧縮機吸入側をガス接続配管に繋いだ状態のまま、他の室外機が暖房運転を始めると、ガス管の冷媒圧力が上昇して冷媒が圧縮機吸入側へ入り込む。これを防止するため、例えば特許文献１には、全室外機の圧縮機を運転させ、四方弁位置を統一制御する四方弁合わせ制御手段を備え、全四方弁の向きを揃えることが開示されている。
【０００４】
【特許文献１】特開２００１−１３３０１８号公報
【発明の開示】
【発明が解決しようとする課題】
【０００５】
しかし、停止している室外機がある場合、その停止室外機には四方弁の高圧側配管と低圧側配管の差圧が無いため、四方弁を切り替えることができない。上記特許文献１のものでは、冷房シーズンが終わり暖房シーズンに切り替わる場合に、暖房が不要な部屋があっても、高圧側配管と低圧側配管との差圧を確保して四方弁の向きを揃えるために、停止中の室外機の圧縮機も全て起動させる必要がある。従って、全室外機が運転している間は、暖房能力が過剰になりやすい。
【０００６】
また、暖房運転中の室外機同士が交互に除霜を行うと、ガス管の高圧冷媒が除霜を行う室外機の吸入側に繋がり冷媒が流れ込む。この場合も、同時に四方弁を切り替えて全ての室外機が除霜運転に入る必要がある。そうすると、室外熱交換器毎に着霜量が異なるにもかかわらず一斉に除霜運転するため、着霜量が少ない熱交換器は速く霜が無くなり外気へ放熱し始めるため、室内機に送られるべき暖房能力も低下する。これを防ぐために早めに除霜運転を終了させると、着霜量が多い熱交換器には霜が残り、室外熱交換器の吸熱効率が悪くなり、冷凍サイクルの効率も低下する。
【０００７】
更に、冷暖同時運転を可能とするため室外機と室内機とを接続する接続配管を３本とした場合も、例えば複数の室外機を暖房運転と冷房運転にすると、暖房運転側の室外機の圧縮機吸入側に、冷房運転側の室外機から流出した高圧ガス冷媒が流入しないようにする必要がある。
【０００８】
本発明の目的は、複数台の室外機において、暖房運転する室外機と停止又は除霜運転する室外機とが混在する場合でも、一部の室外機の圧縮機へ冷媒が過剰に溜まり込むのを防止することができるマルチ型空気調和機を得ることにある。
【０００９】
本発明の他の目的は、冷暖同時運転する複数台の室外機において、暖房運転する室外機と停止室外機又は冷房運転又は除霜運転する室外機が混在する場合でも、一部の室外機の圧縮機へ冷媒が過剰に溜まり込むのを防止することができるマルチ型空気調和機を得ることにある。
【課題を解決するための手段】
【００１０】
上記目的を達成するために、本発明は、室内熱交換器と室内膨張弁とを有する複数台の室内機、圧縮機と逆止弁と四方弁と室外熱交換器と室外膨張弁とを有する複数台の室外機、前記複数台の室内機と前記複数台の室外機とを接続する液接続配管及びガス接続配管を備えたマルチ型空気調和機において、前記四方弁と前記圧縮機吸入側との間に開閉機構を備え、前記複数台の室外機のうち少なくとも１台が暖房運転中に、前記複数台の室外機のうち停止している室外機の前記開閉機構を閉止すること、又は、前記複数台の室外機のうち少なくとも１台が暖房運転中に、前記複数台の室外機のうち除霜運転している室外機の前記開閉機構を閉止又は開度調整することを特徴とする。
【００１１】
また、他の特徴として、室内熱交換器と室内膨張弁とを有する複数台の室内機、圧縮機と逆止弁と四方弁と室外熱交換器と室外膨張弁とを有する複数台の室外機、前記複数台の室内機と前記複数台の室外機とを接続する液接続配管と低圧ガス接続配管と高圧ガス接続配管、及び前記複数台の室外機と前記複数台の室内機との間に配置され、前記低圧ガス接続配管又は前記高圧ガス接続配管の何れかに繋ぐように前記複数台の室内機との接続を切り替える冷暖切替ユニットを備えたマルチ型空気調和機において、前記四方弁と前記圧縮機吸入側との間に開閉機構を備え、該開閉機構と前記圧縮機吸入側との間に前記低圧ガス接続配管を接続し、前記複数台の室外機のうち少なくとも１台が暖房運転中に、前記複数台の室外機のうち冷房運転している室外機と停止している室外機の前記開閉機構を閉止すること、又は、前記複数台の室外機のうち少なくとも１台が暖房運転中に、前記複数台の室外機のうち除霜運転している室外機の前記開閉機構を閉止又は開度調整することを特徴とする。
【発明の効果】
【００１２】
本発明によれば、複数台の室内機と複数台の室外機を備えたマルチ型空気調和機において、室外機の四方弁と圧縮機吸入側との間に開閉機構とを備え、暖房運転する室外機と停止室外機が混在した場合は停止室外機の開閉機構を閉止し、暖房運転する室外機と除霜運転する室外機が混在した場合は除霜運転する室外機の開閉機構を閉止又は開度調整するように構成したので、暖房運転している室外機から流出する高圧ガス冷媒が、停止又は除霜運転している室外機の圧縮機吸入側に流入しても、開閉機構で冷媒流量が制御されるため、停止又は除霜運転している室外機の圧縮機へ冷媒が溜まり込むことを防止できる。
【００１３】
また、本発明によれば、冷暖同時運転するマルチ型空気調和機において、暖房運転する室外機と停止室外機又は冷房運転する室外機が混在した場合は冷房又は停止室外機の開閉機構を閉止し、暖房運転する室外機と除霜運転する室外機が混在した場合は除霜運転する室外機の開閉機構を閉止又は開度調整するように構成したので、暖房運転している室外機から流出する高圧ガス冷媒が、冷房運転又は停止又は除霜運転している室外機の圧縮機吸入側に流入しても、開閉機構で冷媒流量が制御されるため、冷房運転又は停止又は除霜運転している室外機の圧縮機へ冷媒が溜まり込むことを防止できる。
【発明を実施するための最良の形態】
【００１４】
以下、本発明の具体的な実施例を図面に基づいて詳細に説明する。
【実施例１】
【００１５】
図１に本発明の実施例１を示す。図１は冷凍サイクルの一例であり、２台の室外機１０ａ，１０ｂと４台の室内機４０ａ，４０ｂ，４０ｃ，４０ｄから構成される。ここで、室外機接続台数は２台より多くても良く、室内機接続台数も４台より多くても少なくても良い。
【００１６】
まず図１の全体構成を述べる。室外機１０ａの筐体内には、図１に示すように、冷媒を圧縮して吐出する圧縮機１１ａと、圧縮機１１ａから吐出される冷媒を吐出方向に流すための逆止弁１２ａと、冷媒の循環方向を切り替える四方弁１３ａと、冷媒と外気との間で熱交換を行う室外熱交換器１４ａと、絞り機構として機能する室外膨張弁１５ａとが順次配管接続され、圧縮機１１ａの吸入側と四方弁１３ａとの間に、開閉機構１６ａと、アキュムレータ１７ａとが配管接続されている。そして、室外熱交換器１４ａに送風する室外ファン１９ａが備えられている。室外機１０ｂも室外機１０ａと同様の構成となっている。
【００１７】
室内機４０ａの筐体内には、冷媒と室内空気との間で熱交換を行う室内熱交換器４１ａと、室内膨張弁４２ａが冷媒配管で接続されている。室内機４０ｂ〜４０ｄも室内機４０ａと同様の構成となっている。
【００１８】
室外機１０ａ，１０ｂと室内機４０ａ〜４０ｄとは、液接続配管３５とガス接続配管３６が接続され、各々の配管と各室外機１０ａ，１０ｂとの間には、それぞれ液阻止弁３１ａ，３１ｂとガス阻止弁３２ａ，３２ｂが設けられている。
【００１９】
ここで、冷房シーズンから暖房シーズンへ移り変わる時期で、一部の室内機４０ａ，４０ｂのみが暖房起動した際に、部分負荷であるため室外機１０ａは停止を継続、つまり、圧縮機１１ａ，室外ファン１９ａは停止、室外膨張弁１５ａ，電磁弁１６ａは閉となっている。一方室外機１０ｂは起動し，圧縮機１１ｂ，室外ファン１９ｂは運転、室外膨張弁１５ｂ，電磁弁１６ｂは開となる。
【００２０】
ここで、四方弁１３ａ，１３ｂの向きについて説明する。冷房シーズンに空気調和機を冷房運転させていた場合、四方弁１３ａ，１３ｂ共に、吐出配管２１ａ，２１ｂを室外熱交換器１４ａ，１４ｂに繋ぎ、四方弁吸入側配管２３ａ，２３ｂを四方弁阻止弁側配管２２ａ，２２ｂに繋いだ冷房運転時の向きになっている。しかし、四方弁１３ａ，１３ｂを暖房運転時の冷媒流路とするように制御し、圧縮機１１ｂ起動後、吐出配管２１ｂと四方弁吸入側配管２３ｂの差圧が確保されると、四方弁１３ｂは吐出配管２１ｂを四方弁阻止弁側配管２２ｂに繋ぎ、四方弁吸入側配管２３ｂを室外熱交換器１４ｂに繋いだ暖房運転状態の向きへと切り替わる。図１の四方弁１３ｂの実線はこの暖房運転状態の向きである。なお、以後四方弁の向きを冷房運転側（図１の四方弁１３ａの実線の状態），暖房運転側（図１の四方弁１３ｂの実線の状態）と省略して説明する。
【００２１】
次に、冷媒の流れについて説明する。運転中の室外機１０ｂに関し、圧縮機１１ｂで圧縮された高圧ガス冷媒は圧縮機吐出側逆止弁１２ｂ，吐出配管２１ｂ，四方弁１３ｂを通り、四方弁阻止弁側配管２２ｂ，ガス阻止弁３２ｂ，ガス接続配管３６へと送られる。ガス接続配管３６は室内機４０ａ〜４０ｄ，室外機１０ａのそれぞれに繋がるが、高圧ガス冷媒の大部分は室内熱交換器４１ａ，４１ｂへ送られ、室内空気と熱交換し、凝縮して高圧液冷媒となる。一部、室内熱交換器４１ｃ，４１ｄへ送られ凝縮するものもあるが、冷媒が溜まらないように室内膨張弁４２ｃ，４２ｄを微開としてもよい。一方、室外機１０ａについて、ガス阻止弁３２ａ，四方弁阻止弁側配管２２ａ，四方弁吸入側配管２３ａまでは高圧ガス冷媒が溜まるが、電磁弁１６ａが閉のためそれより先にあるアキュムレータ１７ａ，圧縮機１１ａに溜まり込むことは無い。また、このときの吐出配管２１ａと四方弁吸入側配管２３ａ或いはアキュムレータ入口配管２４ａの圧力を比較すると、吐出配管２１ａの圧力は四方弁吸入側配管２３ａより低く、アキュムレータ入口配管２４ａと同等である。つまり、高圧側配管と低圧側配管の差圧がないため、四方弁１３ａを冷房運転側から暖房運転側に切り替えることはできない。圧縮機１１ａを運転し、吐出配管２１ａの圧力を上げることにより四方弁１３ａを冷房運転側から暖房運転側に切り替えることが可能となるが、停止中の圧縮機１１ａを無駄に運転させることになり、効率的ではないため実施しない。但し、一度暖房運転側に切り替えれば、再び室外機１０ｂが運転、室外機１０ａが停止となっても、ガス阻止弁３２ａ，四方弁阻止弁側配管２２ａ，吐出配管２１ａまでは高圧ガス冷媒が溜まるが、圧縮機吐出側に逆止弁１２ａがあるため冷媒はそれより先にある圧縮機１１ａ，アキュムレータ１７ａに溜まり込むことは無い。この場合、室外機１０ａは停止でも、電磁弁１６ａは開でも閉でもよい。
【実施例２】
【００２２】
図２に本発明の実施例２を示す。図２は図１と同等のサイクル構成であり、図１と同一符号を付した部分は同一又は対応する部分である。室内機４０ａ，４０ｂ，４０ｃ，４０ｄが暖房運転し、室外機１０ｂは暖房運転、室外機１０ａは暖房運転から除霜運転へと切り替わった場合の例である。つまり、圧縮機１１ａは運転、室外ファン１９ａは停止、室外膨張弁１５ａは開、電磁弁１６ａは閉又は微開となる。ここで、圧縮機吸入側への冷媒の流れを完全に遮断すると吸入圧力が低下し、除霜に必要な熱の運搬を行えないため、吸入圧力を見ながら電磁弁１６ａの開度を微開にすると良い。電磁弁１６ａが開閉動作のみで、冷媒流量調整が出来ない場合は、図２のように電磁弁１６ａと並列にバイパス電磁弁１８ａを付けても良い。この場合は電磁弁１６ａは閉、バイパス電磁弁１８ａは開又は開閉を繰り返しても良い。また、膨張弁のように流量を連続的に変更できるものを電磁弁１６ａやバイパス電磁弁１８ａに使用しても良い。
【００２３】
次に、冷媒の流れについて説明する。暖房運転中の室外機１０ｂに関し、圧縮機１１ｂで圧縮された高圧ガス冷媒は圧縮機吐出側逆止弁１２ｂ，吐出配管２１ｂ，四方弁１３ｂを通り、四方弁阻止弁側配管２２ｂ，ガス阻止弁３２ｂ，ガス接続配管３６へと送られる。ガス接続配管３６は暖房運転室内機４０ａ〜４０ｄ，室外機１０ａのそれぞれに繋がるが、高圧ガス冷媒の大部分は室内熱交換器４１ａ，４１ｂ，４１ｃ，４１ｄへ送られ、室内空気と熱交換し、凝縮して高圧液冷媒となる。残りの高圧ガス冷媒は、室外機１０ａに送られ、ガス阻止弁３２ａ，四方弁阻止弁側配管２２ａ，四方弁吸入側配管２３ａに送られる。ここで、電磁弁１６ａが閉のため、バイパス電磁弁１８ａを通って冷媒流量は絞られ、低圧ガス冷媒となり、アキュムレータ１７ａ，圧縮機１１ａに送られる。ここで、バイパス電磁弁１８ａの開閉は圧縮機吸入圧力が極端に低下しすぎないように開度を調整すると良い。圧縮機１１ａに送られた低圧ガス冷媒は圧縮され、高温高圧のガス冷媒となり、吐出配管２１ａ，四方弁１３ａを通って室外熱交換器１４ａへ送られ、熱交換器表面の霜を溶かしつつ凝縮して高圧液冷媒となる。こうして室内機４０ａ〜４０ｄ，室外機１０ａで凝縮した高圧液冷媒は液接続配管３５を介して室外機１０ｂに送られる。そして、室外膨張弁１５ｂで減圧膨張し室外熱交換器１４ｂで室外空気と熱交換しつつ蒸発し低圧ガス冷媒となり、四方弁１３ｂ，電磁弁１６ｂ，アキュムレータ１７ｂを通り、圧縮機１１ｂで再び圧縮され循環する。室外機１０ｂで室外空気から吸熱し、室外機１０ａで除霜を行うための熱源を確保できるので、全室外機が一斉に除霜運転する場合と比較して除霜時間も短くて済む。また、通常逆サイクルの除霜のようにガス接続配管３６を低圧に引かないため、除霜後の暖房立ち上がりも早い。
【実施例３】
【００２４】
図３は本発明の実施例３を示す冷凍サイクルの構成図であり、図３において図１と同一符号を付した部分は同一又は対応する部分である。本実施例は、２台の室外機１０ａ，１０ｂと４台の室内機４０ａ，４０ｂ，４０ｃ，４０ｄ，冷暖切替ユニット５０ａ，５０ｂ，５０ｃ，５０ｄ，液接続配管３５，低圧ガス接続配管３７，高圧ガス接続配管３８から構成され、複数の室内機の運転状態が暖房運転，冷房運転，停止が同時に混在できるようにしたものである。図１と同様に室内機４０ａ，４０ｂが暖房運転、室内機１０ｃ，４０ｄが停止、室外機１０ａは停止、室外機１０ｂは暖房運転の図である。なお、室外熱交換器の四方弁の向きが揃わないことは、冷房シーズンから暖房シーズンに移り変わりの時期だけではなく、冷房負荷，暖房負荷の状況に応じて室外機１０ａは冷房運転、室外機１０ｂは暖房運転を行う場合にも起こりうる。
【００２５】
まず、図１と同様に室外機１０ａが停止の場合における冷媒の流れについて説明する。運転中の室外機１０ｂに関し、圧縮機１１ｂで圧縮された高圧ガス冷媒は圧縮機吐出側逆止弁１２ｂ，吐出配管２１ｂ，四方弁１３ｂを通り、四方弁阻止弁側配管２２ｂ，ガス阻止弁３２ｂ，高圧ガス接続配管３８へと送られる。この高圧ガス冷媒は、冷暖切替ユニット５０ａ〜５０ｄへと送られる。ここで、暖房運転室内機４０ａ，４０ｂに繋がる冷暖切替ユニット５０ａ，５０ｂの高圧側開閉機構５２ａ，５２ｂは開、停止室内機４０ｃ，４０ｄに繋がる冷暖切替ユニット５０ｃ，５０ｄの高圧側開閉機構５２ｃ，５２ｄは閉となる。このため、室内機４０ａ，４０ｂにのみ高圧ガス冷媒は送られ、室内熱交換器４１ａ，４１ｂにて室内空気と熱交換し、凝縮して高圧液冷媒となる。一方、停止した室外機１０ａについては、ガス阻止弁３２ａ，四方弁阻止弁側配管２２ａ，四方弁吸入側配管２３ａまでは高圧ガス冷媒が溜まっているが、電磁弁１６ａが閉のためそれより先にあるアキュムレータ１７ａ，圧縮機１１ａ，低圧ガス室外機内配管３４ａに冷媒が溜まり込むことは無い。
【００２６】
次に、室内機の冷房負荷が増えて、室外機１０ａを冷房運転させる場合を説明する。例えば停止していた室内機４０ｃ，４０ｄが冷房運転する場合、室内機４０ａ，４０ｂで凝縮した液冷媒を使うと同時に、室外機１０ａから送られてきた液冷媒も使い冷房を行う。室内膨張弁４２ｃ，４２ｄで減圧し室内熱交換器４１ｃ，４１ｄで室内空気と熱交換し蒸発した低圧ガス冷媒は冷暖切替ユニット５０ｃ，５０ｄの低圧側開閉機構５１ｃ，５１ｄ、低圧ガス接続配管３７を通り室外機１０ａ，１０ｂへと送られる。室外機１０ｂへ送られた低圧ガス冷媒は圧縮機１１ｂへ送られ圧縮されて高温高圧ガス冷媒となり、吐出配管２１ｂ，四方弁１３ｂ，四方弁阻止弁側配管２２ｂを通り高圧ガス接続配管３８に送られ暖房運転室内機４０ａ，４０ｂにて利用される。一方室外機１０ａへ送られた低圧ガス冷媒は圧縮機１１ａで圧縮され高温高圧ガス冷媒となり、吐出配管２１ａ，四方弁１３ａを通り、室外熱交換器１４ａにて室外空気と熱交換し、凝縮して高圧液冷媒となる。このとき、室外膨張弁１５ａは開となり液接続配管３５，冷房運転室内機４０ｃ，４０ｄへと送られ利用される。なお、室内機の多くが冷房運転する場合は、室外機１０ｂの室外膨張弁１５ｂは閉じて、暖房運転している室内機から流出する高圧液冷媒と室外機１０ａから流出する高圧液冷媒を全て冷房運転中の室内機へ送っても良い。このように、室外機が複数台存在する冷暖同時マルチ空気調和機において、室内の負荷に応じて室外機の運転が冷房運転，暖房運転に分かれるとき、冷房運転側の室外機１０ａの電磁弁１６ａを閉じて運転を実現することが可能である。
【実施例４】
【００２７】
図４に本発明の実施例４を示す冷凍サイクル構成図であり、図３と同一符号を付した部分は同一又は対応する部分である。運転は図２と同様に室内機４０ａ，４０ｂ，４０ｃ，４０ｄが暖房運転し、室外機１０ｂは暖房運転、室外機１０ａは暖房運転から除霜運転へ切り替わった場合の例である。つまり、圧縮機１１ａは運転、室外ファン１９ａは停止、室外膨張弁１５ａは開、電磁弁１６ａは閉又は微開となる。図２と異なる点は、室外機１０ａ，１０ｂが低圧ガス室外機内配管３４ａ，３４ｂ，低圧ガス接続配管３７を介して室内機４０ａ〜４０ｄと連通されている点である。このため、電磁弁１６ａを閉にし、圧縮機吸入側への冷媒の流れを完全に遮断しても、暖房運転側の室外機１０ｂから低圧ガス室外機内配管３４ｂ，低圧ガス接続配管３７，低圧ガス室外機内配管３４ａを介して低圧ガス冷媒が圧縮機１１ａに供給されるため、吸入圧力が極端に低下することは無い。また、吸入圧力が低下しすぎる場合は、電磁弁１６ａの開度を微開としてもよく、図２のように電磁弁１６ａと並列にバイパス電磁弁１８ａを設けても良く、膨張弁のように流量を連続的に変更できるものを使用しても良い。
【００２８】
次に、冷媒の流れについて説明する。暖房運転中の室外機１０ｂに関し、圧縮機１１ｂで圧縮された高圧ガス冷媒は圧縮機吐出側逆止弁１２ｂ，吐出配管２１ｂ，四方弁１３ｂを通り、四方弁阻止弁側配管２２ｂ，ガス阻止弁３２ｂ，高圧ガス接続配管３８へと送られる。この高圧ガス冷媒は、冷暖切替ユニット５０ａ，５０ｂ，５０ｃ，５０ｄを介して暖房運転室内機４０ａ〜４０ｄの室内熱交換器４１ａ，４１ｂ，４１ｃ，４１ｄへ送られ、室内空気と熱交換して凝縮し、高圧液冷媒となる。一方、高圧ガス冷媒は、室外機１０ａにも繋がっており、ガス阻止弁３２ａ，四方弁阻止弁側配管２２ａ，四方弁吸入側配管２３ａには高圧ガス冷媒が溜まる。ここで、電磁弁１６ａは基本的に閉のため、高圧ガス冷媒は圧縮機１１ａには送られない。圧縮機１１ａが圧縮する低圧ガス冷媒は、室外機１０ｂの室外熱交換器１４ｂから圧縮機１１ｂに送られる低圧ガス冷媒の一部であり、低圧ガス室外機内配管３４ｂ，低圧ガス接続配管３７，低圧ガス室外機内配管３４ａ，アキュムレータ１７ａを通り圧縮機１１ａへ送られる。ここで圧縮された高温高圧のガス冷媒は吐出配管２１ａ，四方弁１３ａを通って室外熱交換器１４ａへ送られ、熱交表面の霜を溶かしつつ凝縮して高圧液冷媒となる。このように室内機４０ａ〜４０ｄ，室外機１０ａで凝縮した高圧液冷媒は液接続配管３５を介して室外機１０ｂに送られる。そして、室外膨張弁１５ｂで減圧膨張し室外熱交換器１４ｂで室外空気と熱交換しつつ蒸発して低圧ガス冷媒となり、四方弁１３ｂ，電磁弁１６ｂを通り、一部は室外機１０ａへ送られ、残りはアキュムレータ１７ｂを通り圧縮機１１ｂで再び圧縮されて循環する。
【００２９】
このように、室外機１０ｂで室外空気から吸熱し、室外機１０ａで除霜を行うための熱源を確保できるので、全室外機が一斉に除霜運転する場合と比較して除霜時間も短くて済み、適正なタイミングで交互に除霜できる。また通常逆サイクルの除霜のようにガス接続配管３６（図２参照）を低圧に引かないため、除霜後の暖房立ち上がりが早く、除霜時の無駄な放熱や吸熱効率低下も無くして暖房効率を向上させることができる。
【図面の簡単な説明】
【００３０】
【図１】本発明のマルチ型空気調和機の実施例１を示す冷凍サイクル構成図。
【図２】本発明のマルチ型空気調和機の実施例２を示す冷凍サイクル構成図。
【図３】本発明のマルチ型空気調和機の実施例３を示す冷凍サイクル構成図。
【図４】本発明のマルチ型空気調和機の実施例４を示す冷凍サイクル構成図。
【符号の説明】
【００３１】
１０ａ，１０ｂ  室外機
１１ａ，１１ｂ  圧縮機
１２ａ，１２ｂ  逆止弁（圧縮機吐出側逆止弁）
１３ａ，１３ｂ  四方弁
１４ａ，１４ｂ  室外熱交換器
１５ａ，１５ｂ  室外膨張弁
１６ａ，１６ｂ  電磁弁（開閉機構）
１７ａ，１７ｂ  アキュムレータ
１８ａ，１８ｂ  バイパス電磁弁
１９ａ，１９ｂ  室外ファン
２１ａ，２１ｂ  吐出配管
２２ａ，２２ｂ  四方弁阻止弁側配管
２３ａ，２３ｂ  四方弁吸入側配管
２４ａ，２４ｂ  アキュムレータ入口配管
３１ａ，３１ｂ  液阻止弁
３２ａ，３２ｂ  ガス阻止弁（高圧ガス阻止弁）
３３ａ，３３ｂ  低圧ガス阻止弁
３４ａ，３４ｂ  低圧ガス室外機内配管
３５  液接続配管
３６  ガス接続配管
３７  低圧ガス接続配管
３８  高圧ガス接続配管
４０ａ，４０ｂ，４０ｃ，４０ｄ  室内機
４１ａ，４１ｂ，４１ｃ，４１ｄ  室内熱交換器
４２ａ，４２ｂ，４２ｃ，４２ｄ  室内膨張弁
５０ａ，５０ｂ，５０ｃ，５０ｄ  冷暖切替ユニット
５１ａ，５１ｂ，５１ｃ，５１ｄ  低圧側開閉機構
５２ａ，５２ｂ，５２ｃ，５２ｄ  高圧側開閉機構
【図１】
2010048506.tif 000003
【図２】
2010048506.tif 000004
【図３】
2010048506.tif 000005
【図４】
2010048506.tif 000006